(57)【要約】【課題】  複数の負荷回路部に対する電源投入をパワーセーブモードから通常モードへの動作モードの切替要因に応じて適切に行うことができる複合機を提供することを目的とする。【解決手段】  異なる複数の負荷回路部と、負荷回路部に電源供給する電源供給部と、動作モードを通常モード、及び、負荷回路部に対する電源供給を遮断することによって消費電力を通常モードに比べて低くしたパワーセーブモード間で切り替える動作モード切替部と、動作モード切替部が各負荷回路部に対して電源投入する際の投入順序をそれぞれ規定する複数の電源投入順序情報を保持する順序情報記憶手段と、ＦＡＸ着信を検知する着信検知手段と、オペレータ操作を検知する操作検知手段により構成される。動作モード切替部は、着信検知手段及び操作検知手段による検知結果に基づいて順序情報記憶手段から電源投入順序情報を読み出し、読み出した電源投入順序情報に基づいて電源投入を行う。【選択図】  図３
2009207006.tif 000002
【特許請求の範囲】
【請求項１】
異なる２以上の負荷回路部と、上記負荷回路部に電源供給する電源供給部と、動作モードを通常モード、及び、上記負荷回路部に対する電源供給を遮断することによって消費電力を上記通常モードに比べて低くしたパワーセーブモード間で切り替える動作モード切替部とを有する複合機において、
上記動作モード切替部が各負荷回路部に対して電源投入する際の投入順序をそれぞれ規定する２以上の電源投入順序情報を保持する順序情報記憶手段と、
ファクシミリ着信を検知する着信検知手段と、
オペレータによる操作を検知する操作検知手段とを備え、
上記動作モード切替部は、上記着信検知手段及び上記操作検知手段による検知結果に基づいて上記順序情報記憶手段から上記電源投入順序情報を読み出し、読み出した電源投入順序情報に基づいて電源投入を行うことを特徴とする複合機。
【請求項２】
上記負荷回路部として、操作情報を画面表示する表示部と、通信回線を介して画像データをファクシミリ送受信する通信制御部とを備え、
上記動作モード切替部は、ファクシミリ着信が検知された場合に、最初に上記通信制御部に対して電源投入し、当該通信制御部に対する電源投入後に上記表示部に対して電源投入し、オペレータ操作が検知された場合に、最初に表示部に対して電源投入し、当該表示部に対する電源投入後に通信制御部に対して電源投入することを特徴とする請求項１に記載の複合機。
【請求項３】
上記負荷回路として、さらに、画像データを用紙に印刷するプリンタ部を備え、
上記動作モード切替部は、ファクシミリ着信が検知された場合に、上記プリンタ部に対する電源投入後に上記表示部に対して電源投入することを特徴とする請求項２に記載の複合機。
【請求項４】
上記負荷回路として、さらに、原稿を読み取って画像データを生成するスキャナ部と、画像データを用紙に印刷するプリンタ部とを備え、
上記動作モード切替部は、オペレータ操作が検知された場合に、上記スキャナ部及び上記プリンタ部に対する電源投入後に上記通信制御部に対して電源投入することを特徴とする請求項２に記載の複合機。
【発明の詳細な説明】
【技術分野】
【０００１】
本発明は、複合機に係り、さらに詳しくは、異なる複数の負荷回路部に電源供給し、動作モードを通常モードと、負荷回路部に対する電源供給を遮断することによって消費電力を通常モードに比べて低くしたパワーセーブモードとの間で切り替える複合機の改良に関する。
【背景技術】
【０００２】
スキャナ機能、プリンタ機能、ファクシミリ機能などを備えた画像処理装置として、複合機が知られている。通常、この様な複合機は、原稿を読み取って画像データを生成するスキャナ部などの複数の負荷回路部と、これらの負荷回路部に対して定電圧電源を供給する電源供給部と、動作モードを切り替える動作モード切替部を備えて構成される。この動作モード切替部は、電力消費量を少なくするために、動作モードを通常モードと、負荷回路部に対する電源供給を遮断することによって消費電力を通常モードに比べて低くしたパワーセーブモードとの間で切り替える動作を行っている。
【０００３】
一般に、動作モードをパワーセーブモードから通常モードに切り替える際に、各負荷回路部に一斉に電源投入する場合、通電時の突入電流によって、各負荷回路部における消費電流の和が供給可能な電流の上限値を越えてしまうということが考えられる。そこで、通電時の突入電流によって消費電流が電源供給部の電流容量を越えてしまうのを防ぐために、突入電流の大きな負荷回路部から順に電源投入する技術が提案されている（例えば、特許文献１）。この特許文献１に記載の画像形成装置では、複数の負荷回路部に対して電源投入する際に、最初に起動時の突入電流が大きなスキャナ部のスキャン用モーターに対して電源投入される。
【０００４】
しかしながら、通常モードへの動作モードの切り替え時に早く起動させたい負荷回路部が必ずしも突入電流の大きな負荷回路部であるとは限らない。このため、上述した様に突入電流の大きな負荷回路部から電源投入する装置では、早く起動させたい負荷回路部に対する電源投入が後回しとなって、所望の動作に遅れが生じてしまうという問題があった。例えば、負荷回路部として、画像データをファクシミリ送受信する通信制御部を備えた複合機では、ファクシミリ着信によって動作モードがパワーセーブモードから通常モードに自動的に切り替えられる。この様なケースでは、画像データの受信漏れを防ぐという観点から、スキャナ部よりも通信制御部を早く起動させることが望ましいと考えられる。
【特許文献１】特開２００４−１３８８４０号公報
【発明の開示】
【発明が解決しようとする課題】
【０００５】
上述した通り、従来の複合機では、早く起動させたい負荷回路部に対する電源投入が後回しとなって、所望の動作に遅れが生じてしまうという問題があった。
【０００６】
本発明は、上記の事情に鑑みてなされたものであり、異なる複数の負荷回路部に対する電源投入をパワーセーブモードから通常モードへの動作モードの切替要因に応じて適切に行うことができる複合機を提供することを目的とする。特に、切替要因がファクシミリ着信であるかオペレータによる操作であるかに応じて適切に電源投入を行うことができる複合機を提供することを目的とする。
【課題を解決するための手段】
【０００７】
第１の本発明による複合機は、異なる２以上の負荷回路部と、上記各負荷回路部に電源供給する電源供給部と、動作モードを通常モード、及び、上記負荷回路部に対する電源供給を遮断することによって消費電力を上記通常モードに比べて低くしたパワーセーブモード間で切り替える動作モード切替部とを有する複合機であって、上記動作モード切替部が各負荷回路部に対して電源投入する際の投入順序をそれぞれ規定する２以上の電源投入順序情報を保持する順序情報記憶手段と、ファクシミリ着信を検知する着信検知手段と、オペレータによる操作を検知する操作検知手段とを備え、上記動作モード切替部が、上記着信検知手段及び上記操作検知手段による検知結果に基づいて上記順序情報記憶手段から上記電源投入順序情報を読み出し、読み出した電源投入順序情報に基づいて電源投入を行うように構成される。
【０００８】
この複合機では、電源投入の際の投入順序を規定する順序情報が予め保持され、ファクシミリ着信及びオペレータによる操作の検知結果に基づいて動作モードがパワーセーブモードから通常モードに切り替えられる。その際、検知された入力がファクシミリ着信であるかオペレータ操作であるかの検知結果に基づいて順序情報を読み出し、読み出した順序情報に基づいて電源投入が行われる。この様な構成によれば、検知された入力がファクシミリ着信であるかオペレータ操作であるかに応じて電源投入を行わせることができるので、切替要因に応じて適切に電源投入を行うことができる。
【０００９】
第２の本発明による複合機は、上記構成に加え、上記負荷回路部として、操作情報を画面表示する表示部と、通信回線を介して画像データをファクシミリ送受信する通信制御部とを備え、上記動作モード切替部が、ファクシミリ着信が検知された場合に、最初に上記通信制御部に対して電源投入し、当該通信制御部に対する電源投入後に上記表示部に対して電源投入し、オペレータ操作が検知された場合に、最初に表示部に対して電源投入し、当該表示部に対する電源投入後に通信制御部に対して電源投入するように構成される。この様な構成によれば、ファクシミリ着信によって動作モードがパワーセーブモードから通常モードに切り替えられる場合に、通信制御部を他の負荷回路部よりも早く起動させることができる。また、オペレータ操作によって動作モードがパワーセーブモードから通常モードに切り替えられる場合に、表示部を他の負荷回路部よりも早く起動させることができる。
【００１０】
第３の本発明による複合機は、上記構成に加え、上記負荷回路として、さらに、画像データを用紙に印刷するプリンタ部を備え、上記動作モード切替部が、ファクシミリ着信が検知された場合に、上記プリンタ部に対する電源投入後に上記表示部に対して電源投入するように構成される。
【００１１】
第４の本発明による複合機は、上記構成に加え、上記負荷回路として、さらに、原稿を読み取って画像データを生成するスキャナ部と、画像データを用紙に印刷するプリンタ部とを備え、上記動作モード切替部が、オペレータ操作が検知された場合に、上記スキャナ部及び上記プリンタ部に対する電源投入後に上記通信制御部に対して電源投入するように構成される。
【発明の効果】
【００１２】
本発明による複合機によれば、検知された入力がファクシミリ着信であるかオペレータ操作であるかの検知結果に応じて電源投入を行わせることができるので、切替要因に応じて適切に電源投入を行うことができる。また、ファクシミリ着信によって動作モードがパワーセーブモードから通常モードに切り替えられる場合に、通信制御部を他の負荷回路部よりも早く起動させることができる。さらに、オペレータ操作によって動作モードがパワーセーブモードから通常モードに切り替えられる場合に、表示部を他の負荷回路部よりも早く起動させることができる。従って、異なる複数の負荷回路部に対する電源投入をパワーセーブモードから通常モードへの動作モードの切替要因に応じて適切に行うことができる。
【発明を実施するための最良の形態】
【００１３】
図１は、本発明の実施の形態による複合機１を含む画像処理システム１００の概略構成の一例を示したシステム図である。この画像処理システム１００は、複合機１、ＰＣ（パーソナルコンピュータ）２、ＬＡＮ３及びＰＳＴＮ４からなり、複合機１及びＰＣ２は、ＬＡＮ３を介して互いに通信可能となっている。
【００１４】
複合機１は、プリンタ機能、スキャナ機能及びファクシミリ機能を有するＭＦＰ（Multi-Function Peripheral）であり、これらの機能を選択的に実行させることができる。プリンタ機能は、画像データを用紙に印刷する機能であり、例えば、ＬＡＮ３を介してＰＣ２から転送された文書データが印刷される。
【００１５】
スキャナ機能は、原稿を読み取って画像データを生成する機能である。ファクシミリ機能は、画像データをＦＡＸ（ファクシミリ）送受信する機能であり、例えば、原稿から読み取られた画像データがＰＳＴＮ（Public Switched Telephone Networks：公衆電話交換回線網）４を介して他の通信装置へ送信される。
【００１６】
複合機１には、キー入力のための操作キー１１と、キー入力に基づく操作情報などを画面表示する表示部１２が設けられている。この複合機１では、電力消費量を少なくするために、動作モードを通常モードと、負荷回路部に対する電源供給を遮断することによって消費電力を通常モードに比べて低くしたパワーセーブモード（省電力モード）との間で切り替える動作が行われる。
【００１７】
図２は、図１の画像処理システム１００における複合機１の構成例を示したブロック図である。この複合機１は、電源供給部２１、電源供給用のバス２２、メイン基板２３、スキャナ用基板２４、原稿読取部２５、操作パネル用基板２６、プリンタ部２７及びスイッチ２８により構成される。
【００１８】
電源供給部２１は、商用電源５から供給される交流電力を直流電力に変換して、複数の負荷回路部に定電圧電源を供給する電源装置である。具体的には、バス２２を介して、所定電圧の電力がメイン基板２３、スキャナ用基板２４、操作パネル用基板２６及びプリンタ部２７に供給される。
【００１９】
メイン基板２３には、コンバータ回路３１，３３、ＣＰＵ３２及び通信制御部３４が配置されている。コンバータ回路３１，３３は、いずれも電圧変換のためのＤＣ−ＤＣコンバータである。コンバータ回路３１は、電源供給部２１から供給された電力を電圧変換してＣＰＵ３２へ出力する動作を行っている。コンバータ回路３３は、電源供給部２１から供給された電力を電圧変換して通信制御部３４へ出力する動作を行っている。
【００２０】
通信制御部３４は、通信回線を介して画像データをＦＡＸ送受信するための送受信処理回路であり、モデム、ＮＣＵ（Network Control Unit）、通信用ＣＯＤＥＣ、ＬＡＮ用インターフェースによって構成される。この通信制御部３４では、ＬＡＮ３又はＰＳＴＮ４を介して画像データが送受信される。なお、ここでいうＦＡＸ送受信には、ＬＡＮ３を利用して画像データを送受信する場合と、ＰＳＴＮ４を利用して画像データを送受信する場合とが含まれるものとする。
【００２１】
スキャナ用基板２４には、コンバータ回路４１、読取制御部４２及び画像処理部４３が配置されている。コンバータ回路４１は、電源供給部２１から供給された電力を電圧変換して読取制御部４２及び画像処理部４３へ出力する動作を行っている。
【００２２】
原稿読取部２５は、原稿を光学的に読み取る読取装置であり、露光用光源、ＣＣＤ（電荷結合素子）、スキャン用モーターによって構成される。読取制御部４２は、原稿読取部２５を制御するための制御回路である。画像処理部４３は、原稿読取部２５によって原稿から読み取られた画像データを処理するための回路であり、スキャナ用ＣＯＤＥＣ、ページメモリ、シェーディング補正回路、γ補正回路によって構成される。
【００２３】
操作パネル用基板２６には、コンバータ回路５１、キー入力部５２及び表示部１２が配置されている。コンバータ回路５１は、電源供給部２１から供給された電力を電圧変換してキー入力部５２及び表示部１２へ出力する動作を行っている。
【００２４】
キー入力部５２は、オペレータによる操作キー１１の操作に基づいて、所定のキー入力信号を生成する入力回路である。表示部１２は、キー入力に基づく操作情報、ＦＡＸ着信時の着信情報を画面表示するための出力回路であり、ＬＣＤ（液晶ディスプレイ）、ＬＣＤ用ドライバによって構成される。
【００２５】
プリンタ部２７は、画像データを用紙に印刷する画像形成手段であり、感光体ドラム用モーター、帯電器、現像装置、転写装置、定着装置、プリンタ用ＣＯＤＥＣ、ページメモリによって構成される。プリンタ部２７には、スイッチ２８を介して電源供給部２１から電力が供給される。
【００２６】
ＣＰＵ３２では、動作モードを通常モードと、パワーセーブモードとの間で切り替える制御が行われる。この動作モードの切り替えは、コンバータ回路３３，４１，５１及びスイッチ２８を制御することによって行われる。具体的には、コンバータ回路３３，４１，５１及びスイッチ２８をそれぞれオン又はオフすることによって行われる。例えば、動作モードを通常モードからパワーセーブモードに切り替える場合、コンバータ回路３３，４１，５１及びスイッチ２８をいずれもオフすることによって電源供給が遮断され、これによって、パワーセーブモードとなる。
【００２７】
この複合機１では、通信制御部３４と、読取制御部４２、原稿読取部２５及び画像処理部４３からなるスキャナ部と、キー入力部５２及び表示部１２と、プリンタ部２７とが、それぞれパワーセーブモードへの切替対象とする負荷回路部となっている。ここでは、通常モード時に、通信制御部３４、スキャナ部、キー入力部５２、表示部１２及びプリンタ部２７に通電され、パワーセーブモード時には、これらの負荷回路部に対する電源供給が遮断されるものとする。
【００２８】
図３は、図２の複合機１の要部における構成例を示したブロック図であり、ＣＰＵ３２内の機能構成の一例が示されている。このＣＰＵ３２は、順序情報記憶部１０１、着信検知部１０２、操作検知部１０３及び動作モード切替部１０４により構成される。動作モード切替部１０４は、動作モードを通常モード及びパワーセーブモード間で切り替えるための制御信号を出力する動作を行っている。
【００２９】
順序情報記憶部１０１は、複数の電源投入順序情報１１１をそれぞれ通常モードへの動作モードの切替条件１１２に関連付けて保持するメモリである。この電源投入順序情報１１１は、動作モード切替部１０４が各負荷回路部に対して電源投入する際の投入順序を規定するための情報である。切替条件１１２は、動作モード切替部１０４が動作モードをパワーセーブモードから通常モードに切り替える際の切替要因に対応する識別情報であり、ＦＡＸ着信又はオペレータ操作のいずれかを示す情報となっている。
【００３０】
具体的には、電源投入順序情報「電源投入順序１」として、通信制御部３４、プリンタ部２７、キー入力部５２及び表示部１２、スキャナ部の順で電源投入することが規定されている。この電源投入順序情報「電源投入順序１」は、「切替条件１」として、ＦＡＸ着信に関連付けられている。
【００３１】
また、電源投入順序情報「電源投入順序２」として、キー入力部５２及び表示部１２、スキャナ部、プリンタ部２７、通信制御部３４の順で電源投入することが規定されている。この電源投入順序情報「電源投入順序２」は、「切替条件２」として、オペレータ操作に関連付けられている。
【００３２】
着信検知部１０２は、ＦＡＸ着信を検知する動作を行っている。着信検知部１０２では、ＬＡＮ３を介して着信するＰＣ２からのプリント要求と、ＰＳＴＮ４を介して着信する他の通信装置からの受信要求とが検知される。操作検知部１０３は、オペレータ操作を検知する動作を行っている。操作検知部１０３では、キー入力部５２からのキー入力信号に基づいて、オペレータによる操作が検知される。このオペレータ操作には、例えば、原稿台への用紙のセット、或いは、用紙を収容するためのトレー又はカセットの着脱が含まれるものとする。
【００３３】
動作モード切替部１０４では、着信検知部１０２及び操作検知部１０３による検知結果に基づいて、動作モードをパワーセーブモードから通常モードに切り替える動作が行われる。その際、検知された入力がＦＡＸ着信であるかオペレータ操作であるかを判別し、この判別結果に基づいて順序情報記憶部１０１から電源投入順序情報１１１が読み出される。そして、読み出した電源投入順序情報１１１に基づいて電源投入が行われる。
【００３４】
例えば、ＦＡＸ着信が検知された場合、ＦＡＸ着信に対応する電源投入順序情報１１１が読み出され、当該電源投入順序情報１１１に従って電源投入される。この場合、通信制御部３４、プリンタ部２７、キー入力部５２及び表示部１２、スキャナ部の順に電源投入される。つまり、最初に通信制御部３４に対して電源投入され、当該通信制御部３４に対する電源投入後に表示部１２に対して電源投入されることとなる。また、プリンタ部２７に対する電源投入後に表示部１２に対して電源投入されることとなる。これにより、ＦＡＸ着信時には、通信制御部３４を早く起動させるので、画像データの受信漏れを防止することができる。
【００３５】
一方、オペレータ操作が検知された場合には、オペレータ操作に対応する電源投入順序情報１１１が読み出され、当該電源投入順序情報１１１に従って電源投入される。この場合、キー入力部５２及び表示部１２、スキャナ部、プリンタ部２７、通信制御部３４の順に電源投入される。つまり、最初に表示部１２に対して電源投入され、当該表示部１２に対する電源投入後に通信制御部３４に対して電源投入されることとなる。また、スキャナ部及びプリンタ部２７に対する電源投入後に通信制御部３４に対して電源投入されることとなる。これにより、オペレータ操作時には、表示部１２を早く起動させるので、操作情報を表示画面上で直ちに確認することができる。
【００３６】
一般に、プリンタ部２７は、アイドリングに時間を要することから、電源投入されてから印刷できるようになるまでに要する時間が他の負荷回路部に比べて長い。このため、オペレータ操作によって動作モードが通常モードに切り替えられる場合には、プリンタ部２７をスキャナ部よりも後に電源投入させている。また、コピー操作時などには、スキャナ部で原稿を読み取ってから印刷する必要があるので、スキャナ部をプリンタ部２７よりも前に電源投入させている。
【００３７】
図４のステップＳ１０１〜Ｓ１１４は、図２の複合機１における動作の一例を示したフローチャートである。まず、動作モード切替部１０４は、着信検知部１０２によってＦＡＸ着信が検知された場合（ステップＳ１０１）、ＦＡＸ着信に対応する電源投入順序情報１１１を読み出してコンバータ回路３３，４１，５１及びスイッチ２８をオンする。
【００３８】
すなわち、この場合、「電源投入順序１」が選択され（ステップＳ１０２）、通信制御部３４、プリンタ部２７、キー入力部５２及び表示部１２、スキャナ部の順で電源がオンされる（ステップＳ１０３〜Ｓ１０５）。
【００３９】
一方、操作検知部１０３によってオペレータ操作が検知された場合（ステップＳ１０９）には、オペレータ操作に対応する電源投入順序情報１１１を読み出してコンバータ回路３３，４１，５１及びスイッチ２８がオンされる。
【００４０】
この場合、「電源投入順序２」が選択され（ステップＳ１１０）、キー入力部５２及び表示部１２、スキャナ部、プリンタ部２７、通信制御部３４の順で電源がオンされる（ステップＳ１１１〜Ｓ１１４）。
【００４１】
この様な各負荷回路部に対する電源投入が完了すれば、通常モードとなり、ＦＡＸ受信した原稿画像などの印刷が行われる（ステップＳ１０６）。次に、動作モード切替部１０４は、印刷などの所定のジョブの終了後、所定時間が経過すれば、パワーセーブモードに動作モードを切り替えるためのパワーダウン処理を行う（ステップＳ１０７，Ｓ１０８）。
【００４２】
本実施の形態によれば、検知された入力がＦＡＸ着信であるかオペレータ操作であるかの検知結果に応じて電源投入を行わせることができるので、切替要因に応じて適切に電源投入を行うことができる。また、ＦＡＸ着信によって動作モードがパワーセーブモードから通常モードに切り替えられた場合に、通信制御部３４を他の負荷回路部よりも早く起動させることができる。また、オペレータ操作によって動作モードがパワーセーブモードから通常モードに切り替えられた場合に、表示部１２を他の負荷回路部よりも早く起動させることができる。
【図面の簡単な説明】
【００４３】
【図１】本発明の実施の形態による複合機１を含む画像処理システム１００の概略構成の一例を示したシステム図である。
【図２】図１の画像処理システム１００における複合機１の構成例を示したブロック図である。
【図３】図２の複合機１の要部における構成例を示したブロック図であり、ＣＰＵ３２内の機能構成の一例が示されている。
【図４】図２の複合機１における動作の一例を示したフローチャートである。
【符号の説明】
【００４４】
１  複合機
２  ＰＣ
３  ＬＡＮ
４  ＰＳＴＮ
５  商用電源
１１  操作キー
１２  表示部
２１  電源供給部
２２  電源供給用のバス
２３  メイン基板
２４  スキャナ用基板
２５  原稿読取部
２６  操作パネル用基板
２７  プリンタ部
２８  スイッチ
３１，３３，４１，５１  コンバータ回路
３２  ＣＰＵ
３４  通信制御部
４２  読取制御部
４３  画像処理部
５２  キー入力部
１００  画像処理システム
１０１  順序情報記憶部
１０２  着信検知部
１０３  操作検知部
１０４  動作モード切替部
【図１】
2009207006.tif 000003
【図２】
2009207006.tif 000004
【図３】
2009207006.tif 000005
【図４】
2009207006.tif 000006